(57)【要約】可視画像を表示するための装置は膨張可能な主体（１４）および基部部分（１２）を有する装置（１０）を含んでいる。主体（１４）は可視画像を表示するための少なくとも１つの表示面を設ける、膨張させられたとき予め定めた形状を画成する管状部材（１７）から形成される。基部部分（１２）は前記装置（１０）を安定化する。
2004514958.tif 000002
【特許請求の範囲】
【請求項１】
可視画像を表示するための可視画像表示装置において、
前記可視画像を表示するために、それが膨張されるとき、少なくとも１つの表示面を設けるように設計された膨張可能な主体；および
装置を安定化するための基部部分を有する装置を含んでおり、
そのさい前記主体が複数の膨張可能な管状部材から形成され、そのように形成されると、前記基部部分上で膨張させられかつ配置されるとき、前記部材が予め定めた形状を画成することを特徴とする可視画像表示装置。
【請求項２】
前記多数の膨張可能な管状部材が前記管状部材の一体に形成されたシートの形に設けられることを特徴とする特許請求の範囲第１項に記載の可視画像表示装置。
【請求項３】
管状部材からなる前記シートが前記管状部材の平行な列を形成するようにともに溶接されたプラスチック材料シームの層から形成されることを特徴とする特許請求の範囲第２項に記載の可視画像表示装置。
【請求項４】
前記管状部材が個々に密封可能であることを特徴とする特許請求の範囲第１項に記載の可視画像表示装置。
【請求項５】
前記管状部材の少なくとも１つが前記管状部材の少なくとも１つの他方と流体連通して配置されることを特徴とする特許請求の範囲第１項に記載の可視画像表示装置。
【請求項６】
前記管状部材が、前記予め定めた形状の寸法を画成する外方部材、および前記外方部材を補強しかつ支持する少なくとも１つの内方部材を含むことを特徴とする特許請求の範囲第１項に記載の可視画像表示装置。
【請求項７】
前記予め定めた形状が長手方向軸線を有する多角形プリズムであることを特徴とする特許請求の範囲第６項に記載の可視画像表示装置。
【請求項８】
前記少なくとも１つの内方部材が前記軸線に対して平行に配置されかつ前記装置の長さを通して延びることを特徴とする特許請求の範囲第７項に記載の可視画像表示装置。
【請求項９】
前記少なくとも１つの内方部材が前記軸線に対して垂直に配置されることを特徴とする特許請求の範囲第７項に記載の可視画像表示装置。
【請求項１０】
各々前記内方管状部材の１またはそれ以上を含んでいる、平らな補強構造が、前記装置の長さに沿って間隔をおいて前記軸線に対して垂直に配置されることを特徴とする特許請求の範囲第７項に記載の可視画像表示装置。
【請求項１１】
前記補強構造が前記管状部材の一体に形成されたシートの形にあることを特徴とする特許請求の範囲第１０項に記載の可視画像表示装置。
【請求項１２】
前記装置が、少なくとも１つの前記表示面が、前記主体が膨張されるとき、少なくとも４５°の角度で前記基部部分に対して傾斜されることを特徴とする特許請求の範囲第１項に記載の可視画像表示装置。
【請求項１３】
前記基部部分が前記装置を安定化するために水または粒子状物質で少なくとも部分的に充填されるようになされた１またはそれ以上の密封可能な室から形成されることを特徴とする特許請求の範囲第１項に記載の可視画像表示装置。
【請求項１４】
前記密封可能な室が１またはそれ以上の管状部材を含んでいることを特徴とする特許請求の範囲第１３項に記載の可視画像表示装置。
【請求項１５】
前記主体管状部材および前記基部部分管状部材がともに接合された前記管状部材の一体に形成されたシートの形であることを特徴とする特許請求の範囲第１４項に記載の可視画像表示装置。
【請求項１６】
前記基部部分が前記装置を安定化するために少なくとも１枚の堅固な基板によって設けられることを特徴とする特許請求の範囲第１項に記載の可視画像表示装置。
【請求項１７】
前記少なくとも１枚の基板が、前記主体が収縮されるとき、前記基板間で折り畳まれるような前記装置を許容するために、蝶着接続にある複数の堅固な基板を含んでいることを特徴とする特許請求の範囲第１６項に記載の可視画像表示装置。
【請求項１８】
さらに、前記少なくとも１つの表示面を照明するための照明源を含んでいることを特徴とする特許請求の範囲第１項に記載の可視画像表示装置。
【請求項１９】
前記装置が前記照明源を収容する内部キャビティを備えていることを特徴とする特許請求の範囲第１８項に記載の可視画像表示装置。
【請求項２０】
さらに、前記主体を少なくとも部分的に被覆する、前記可視画像を設ける、カバーを含んでいることを特徴とする特許請求の範囲第１項に記載の可視画像表示装置。
【請求項２１】
さらに、前記カバーを緊張させるために前記主体と前記カバーとの間に置かれた補助の膨張可能な部材を含んでいることを特徴とする特許請求の範囲第２０項に記載の可視画像表示装置。
【請求項２２】
さらに、前記主体との流体連通に適合させられる圧縮ガス源を含んでいることを特徴とする特許請求の範囲第１項に記載の可視画像表示装置。
【請求項２３】
さらに、前記画像少なくとも源を調整するための手段を含んでいることを特徴とする特許請求の範囲第２２項に記載の可視画像表示装置。
【請求項２４】
前記圧縮ガス源および前記調整器が前記装置から離れて配置されかつ流体ラインを介して前記主体と連通させられることを特徴とする特許請求の範囲第２３項に記載の可視画像表示装置。
【請求項２５】
前記装置が、前記主体のみが地面上に置かれるように地面に確立されることを特徴とする特許請求の範囲第１項に記載の可視画像表示装置。
【請求項２６】
さらに、前記装置を固定するためのガイロープを含んでいることを特徴とする特許請求の範囲第１項に記載の可視画像表示装置。
【発明の詳細な説明】
【０００１】
（技術分野）
本発明は、可視画像を表示するための装置にかつとくに、可視画像および一般に、広告、フィルム投写、警告等のごとき情報を表示するための膨張可能な装置に関する。
【０００２】
（背景技術）
掲示板、スクリーンおよび看板のごとき可視画像を表示するための装置は、一般に、世界的に良く知られた多数の種々の形状を有しかつあらゆる種類の情報を表示するのに使用されている。しかしながら、一般に、これらの装置は、重く、しばしば、搬送および組み立てが困難である永続的な構造である。搬送可能であるように設計されるスクリーンおよび信号系は、代表的には、大きさが制限され、搬送に不便で、いったん組み立てられると動かすのが難しいかまたは限定された区域で組み立てられることができない。自動車レースで使用される広告掲示板および信号系は代表的には、潜在的に車両の衝突の場合に重大な損傷および傷害を生じるかもしれない堅固な構造である。
【０００３】
膨張可能な装置は、一般に、代表的にはキャンバスのごとき重い材料から構成されかつ一旦膨張させられると動かされることができない。これらの装置はそれらの高さを維持するために一定の空気流を使用して連続して膨張させられねばならずかつ重いかまたは複雑な安定化手段を必要とする。かかる装置は弾力がありかつ所望の高さを維持することができる確実な形状および構成を提供しない。それゆえ、かかる装置は有効表示面を設けるのに適切でなくかつかかる装置の潜在的な用途は実質上制限される。
【０００４】
（発明の目的）
本発明の目的は、従来技術の欠点の１つまたはそれ以上を実質上克服するかまたは改善することにある。
【０００５】
（発明の開示）
したがって、本発明は、可視画像を表示するために、それが膨張されるとき、少なくとも１つの表示面を設けるように設計された膨張可能な主体；および
装置を安定化するための基部部分を有する装置を含んでいる可視画像を表示するための可視画像表示装置を提供する。
【０００６】
主体は、複数の膨張可能な管状部材から形成され、そのように形成されると、前記基部部分上で膨張させられかつ配置されるとき、前記部材が予め定めた形状を画成する。
【０００７】
好ましくは、前記基部部分が１またはそれ以上の密封可能な室から形成される。好ましくは、前記多数の膨張可能な管状部材が前記管状部材の１またはそれ以上の一体に形成されたシートの形に設けられる。前記管状部材の幾つかはその他と直接流体連通にすることができるかまたは個々に密封可能であってもよい。好ましくは、管状部材からなる前記シートが前記管状部材の平行な列を形成するようにともに溶接されたプラスチック材料シームの層から形成される。好ましくは、前記基部部分が前記装置を安定化するために水または粒子状物質で少なくとも部分的に充填されるようになされる。
【０００８】
好適な実施の形態において、前記管状部材は、前記予め定めた形状の寸法を画成する外方部材、および前記外方部材を補強しかつ支持する少なくとも１つの内方部材を含んでいる。
【０００９】
他の実施の形態において、前記基部部分が前記装置を安定化するために少なくとも１枚の堅固な基板によって設けられる。好ましくは、前記少なくとも１枚の基板は、前記主体が収縮されるとき、前記基板間で折り畳まれるような前記装置を許容するために、蝶着接続にある複数の堅固な基板を含んでいる。
【００１０】
好適な実施の形態において、前記装置は、ともに編み合わせるかまたは縫い合わされ、ケーブル拘束によって接合されるかまたはジップ機構によって接合される多数の前記シートを含んでいる。
【００１１】
好ましくは、前記予め定めた形状が長手方向軸線を有する多角形プリズムである。１つの実施の形態において、前記内方部材が前記軸線に対して平行に配置されかつ前記装置の長さを通して延びる。代替的に、前記内方部材が前記軸線に対して垂直に配置される。好ましくは、各々前記内方管状部材の１またはそれ以上を含んでいる、平らな補強構造は、前記装置の長さに沿って種々の間隔をおいて前記軸線に対して垂直に配置される。好ましくは、前記補強構造は前記管状部材のシートを含んでいる。
【００１２】
好適な実施の形態において、前記管状部材の少なくとも１つが前記管状部材の少なくとも１つの他方と流体連通して配置される。
【００１３】
好適な実施の形態において、前記装置は前記少なくとも１つの表示面を照明するための照明源を含んでいる。好適な実施の形態において、前記装置は前記照明源を収容する内部キャビティを備えている。
【００１４】
好適な実施の形態において、前記装置は空気、または代替的にヘリウムガスを使用して膨張させられる。好ましくは、前記基部部分は水、または代替的に、砂で少なくとも部分的に充填される。
【００１５】
好適な実施の形態において、前記装置は、前記主体を少なくとも部分的に被覆する、前記可視画像を設ける、カバーを含んでいる。前記カバーは取り外し可能かまたは永続的であってもよい。
【００１６】
好ましくは、前記装置は、少なくとも１つの前記表示面が、前記主体が膨張されるとき、少なくとも４５°の角度で前記基部部分に対して傾斜される。
【００１７】
好適な実施の形態において、前記装置は、前記主体が膨張させられるとき、台形のプリズムの形状を一般に採用するように構成される。他の好適な実施の形態において、前記装置は、前記主体が膨張させられるとき、三角形のプリズムの形状を一般に採用するように構成される。他の好適な実施の形態において、前記装置は、前記主体が膨張させられるとき、矩形のプリズムの形状を一般に採用するように構成される。
【００１８】
特別な用途において、前記装置は前記主体との流体連通に適合させられる圧縮ガス源を含んでいる。かかる用途において、前記装置は、また、前記ガス源を調整するための手段を含むことができる。前記圧縮ガス源および前記調整器が前記装置から離れて配置されかつ流体ラインを介して前記主体と連通させられ得る。
【００１９】
好適な実施の形態において、前記装置は、前記主体のみが地面上に置かれるように地面に確立される。
【００２０】
特別な用途において、前記装置は前記装置を固定するためのガイロープを含むことができる。
【００２１】
好適な実施の形態において、前記少なくとも１つの表示面は、前記主体が膨張させられるとき、それに投影される可視画像を表示するようになされている。
【００２２】
好適な実施の形態において、前記装置は自動車レーストラックに配置される。他の実施の形態において、前記表示面はそれに表示される指示および／または警告を有している。他の実施の形態において、前記表示面はそれに表示された広告の形の可視画像を有している。
【００２３】
本発明の好適な形状を次に添付図面を参照して例として説明する。
【００２４】
（発明を実施するための最良の形態）
図１Ａ、図１Ｂ、図２Ａおよび図２Ｂを参照して、可視画像を表示するための装置は、主体１４が膨張させられるとき可視画像を表示するための少なくとも１つの表示面１６を設けるように形成された膨張可能な主体１４を含む膨張可能な装置１０を有している。装置は、さらに、装置１０を安定化するようになされる、基部部分１２を含んでいる。装置１０は主体１４および基部部分１２を形成しかつ管状部材１７が膨張させられるとき、装置１０が少なくとも１つの表示面１６を設ける予め定めた形状を採用するようにともに配置されかつ固定される複数の膨張可能な管状部材１７を含んでいる。予め定めた形状は最も好ましくは、長手方向軸線を有する、三角形プリズムまたは矩形プリズムである。基部部分１２の管状部材１７は、装置１０を安定化するために、水または砂で充填され得る。管状部材１７は予め定めた形状の寸法を画成する外方部材１８、および外方部材１８を補強しかつ支持する、内方部材１９を含んでいる。図１Ａおよび図２Ａに描かれるように、外方部材１８および内方部材１９はプリズムの長手方向軸線に対して平行に配置されることが可能でかつ装置１０の内部を完全に充填することができる。
【００２５】
装置は、ケーブル結合、ジップ機構、フックおよびループ型ファスナ、縫い合わせまたは継ぎ目溶接によって接合された複数のモジュラー要素を含んでいる。モジュラー要素は装置１０の種々の形状を設けるように種々の形状および大きさにおいて形成されることができる。しかしながら、モジュラー要素は、好ましくは、一体に形成された管状部材からなるシートを含んでいる。代表的には、管状部材からなるシートは、膨張可能なマットレスと同様に、管状部材１７の平行な列を形成するとともに溶接されたプラスチック材料継ぎ目の層から形成される。
【００２６】
図３Ａを参照して、内方部材１９はプリズムの長手方向軸線に対して垂直に配置され得る。この配置において、平らな補強構造が、プリズム軸線に対して垂直な平面に横たわる、内方管状材１９のシートによって設けられる。これらのシートは、好ましくは、装置１０の長さに沿って種々の間隔で間隔が置かれる。図５に描かれるように、基部部分１２の管状部材１７は内方１９および外方１８部材の両方を含むことができる。
【００２７】
図４Ａおよび図４Ｂに描かれるように、多数の外方部材１８がプリズム軸線に対して垂直に配置される一方、他方は軸線に対して平行に配置される。種々の組み合わせがあらゆる方向に配置されている管状部材の可能性を含んで考えられる。
【００２８】
図８Ｂに描かれるように、管状部材１７の幾つかはハニカム状構造に配置されてもよい。
【００２９】
管状部材１７の各々は一体に形成されるかおよび／または１またはそれ以上の他の管状部材１７と流体連通にすることもできる。装置１０は、装置１０の膨張を簡単化する単一の膨張点、または、破裂の場合において、装置１０が完全に収縮しないように幾つかの膨張点を有することもできる。
【００３０】
安価でかつ容易に利用できるので空気が主体１４を膨張させるための好適なガスである。しかしながら、より低い相対的な密度を有しかつ不活性であるヘリウムは、より高価でありかつ収容するのが難しいけれども、幾つかの用途においては好ましいかもしれない。他のガスもまた種々の用途に適するように使用され得る。管状部材１７が代表的には膨張させられる圧力はおよそ５ないし６ｐｓｉ（３０ないし４５ｋＰａ）である。
【００３１】
表示面１６はその上に可視画像を表面するために種々の方法において形成されることができる。装置１０の面１６は、装置１０に設けられた、フックおよびループ型のテープファスナのごとき、取着手段によって取り外し可能に取着されることができる、それに直接印刷されるかまたは別個の材料に印刷される情報および／または画像を有することができる。図９に描かれるように、装置１０は、それに画像を有する取り外し可能なカバー１３を備えることができ、そのようにすると画像はカバー１３を交換するだけで変更され得る。代替的に、面１６は、それに投影された可視画像を表示するようになされるか、または装置１０の内方にまたは外方に配置され得る、光源によって照明されるとき画像を表示するようになされる。照明源が装置１０の内方に配置され得るならば、主体１４は代表的には透明な材料から作られる。
【００３２】
上記の実施の形態は容易に組み立てられかつ搬送可能である、軽量で堅固な構造を設ける。これらの実施の形態は、表示された可視画像の有効性を増大する、膨らみまたは撓みのない表示面を設ける。安定化する基部部分は、通常の使用において、ガイロープのごときあらゆる固定機構から独立して立つような装置を許容する。
【００３３】
図１０および図１１を参照して、可視画像を表示するための装置は、主体１４が膨張させられるとき、可視画像を受容するための少なくとも１つの実質上平らなかつ略直立の面１６を設けるように形成される基部部分１２および膨張可能な主体１４を有する装置１０を含んでいる。基部部分１２は装置１０を安定化する手段として少なくとも１つの密封可能な室２０を含んでいる。室２０は水または砂のような粒子状材料で充填されることができる。装置１０は、前記主体１４が膨張させられるとき、台形または三角形プリズムの形状を一般に採用するように形成される。装置１０は、また、矩形プリズムまたはピラミッドのごとき他の形状を採用するように形成されることができる。主体１４は代表的には図１ないし図９の装置と同様に管状部材から形成される。
【００３４】
ほとんどの用途において、装置１０は、いったん膨張させられると、ただ立っていると考えられる。しかしながら、大きな温度または圧力変化を伴っている環境のごとき幾つかの状況において、内部圧力が調整されることが必要かもしれない。かかる用途において、装置は、さらに、圧縮ガス源３０、ガス調整器３２およびそれと流体連通の流体ライン３４を含んでいる。流体ライン３４は主体１４の膨張のためにガス源３０と主体１４との間の連通を設けるために主体１４と密封して係合可能である。多くの状態において基部部分１２が十分な安定性を備えると考えられる一方、高い風の状態において、追加の安定化手段を設けることが必要かもしれない。したがって、装置は、さらに、装置１０をさらに安定化するためにガイロープ４０を含むことができる。
【００３５】
調整器３２は、主体１４が完全に膨張されたままであることを保証するために、時間にわたる温度変化のごとき条件として、主体１４内のガスの圧力を調整するのに使用され得る。代替的に、流体ライン３４は取り外されかつ主体１４は膨張後密封されてもよい。
【００３６】
図１２に示されるように、基部部分１２は、液体または砂のごとき粒子状物質で充填され得る、多数の個々の密封可能な室２０ａ，２０ｂ，２０ｃを含むことができる。そのように、基部部分１２は、主体１４が収縮されるとき、各室２０ａ，２０ｂ，２０ｃ間で折り畳まれることができる。これは、室が水または砂で少なくとも部分的に充填されるときも同様にコンパクトな形状に容易に折り畳まれることができるので装置１０の搬送および貯蔵を容易にする。かかる用途において、基部部分１２は安定化を増大するように重いキャンバスまたはプラスチックから構成され得る。
【００３７】
図１３および図１４に描かれた他の装置において、基部部分１２は装置１０を安定化するための手段として少なくとも１つの堅固な基板２２を含んでいる。この基板２２は、基部部分１２が、装置１０の搬送および貯蔵を容易にするように、主体１４が収縮されるとき、主体１４に沿って折り畳まれるように、蝶着接続において多数の個々のプレート２２ａ，２２ｂ，２２ｃに分割される。
【００３８】
装置に衝突するものの可能性または見込みがある用途に関して、圧縮ガス源３０および調整器３２を含んでいる、装置は、装置１０の主体１４のみが地面上に置かれるように地面に確立され得る。かかる用途は、代表的には、自動車および二輪レース開催指定地でのかつまた馬術競技での広告を含んでいる。圧縮ガス源３０および調整器３２は装置１０から離して配置されかつガスは流体ライン３４によって主体１４に供給される。装置との衝突の場合において、膨張可能な主体１４のみが衝突され、重大な損傷または傷害の危険を減少する。
【００３９】
他の用途において、装置は事故現場での警察官の指示のごとき警告または緊急サービスの指示を表示するのに使用され得る。装置は、また、端と端をつないで置かれた多数の装置を含むことができるバリケードを設けるのに使用され得る。かかる用途において、コンパクトな装置は車両の荷物室に貯蔵されかつ容易に配置されそして必要なときに膨張させられ得る。装置は、また、貿易ショーおよび展示会のごとき一時的な設置のための分割壁を設けるのに使用され得る。かかる用途において、装置は軽量材料から構成されかつ装置が自己支持するように空気で充填される。装置は、通常の装置に使用される抑制体より簡単でかつ軽量である、床上のクリップのごとき手段によってまたは床に結合されていることによって配置され得る。
【００４０】
その最も簡単な形状において、装置１０は、プラスチック、好ましくは、ポリ塩化ビニル（ＰＶＣ）のごとき、軽く、柔軟なかつ気密材料からなることができる。しかしながら、装置が使用され得る用途および環境は実質上変化するので、装置１０が構成される材料はしたがって多く変化する。裏張りされたキャンバスまたは他の布のごとき、より重い耐久力のある材料がより大きな用途かつ極端な天候条件に関して使用され得る。装置１０の大きさおよび材料の型は変化するので、膨張された主体１４内に必要とされる圧力は、また、したがって、より大きな、より重い構造に必要とされるより高い圧力により変化する。
【００４１】
装置は、また、装置１０を収縮するときガスを再び圧縮するための手段を含み、その結果同一のガスは次の用途において再使用され得る。
【００４２】
図１５を参照して、複数の膨張可能な管状部材１７を含んでいる、装置１０の代替の変形例は、その上にカバー（図示せず）が可視画像を表示するように置かれる基本の枠組みを単に形成することができる。代替的に、図１６に描かれるように、布からなるパネル４２が、可視画像を表示するように、編み合わせまたは他の手段によって枠組みに固定され得る。この実施の形態において、布パネル４２は応力部材として作用しかつ装置１０を硬化するのを助ける。
【００４３】
装置１０のとくに好適な形状は図１７および図１８に描かれている。主体部分１４は一体に形成された管状部分１７からなる２枚の横方向シート１３を含んでいる。基部部分１２は一体に形成された管状部分１５の単一のシートを含んでいる。このおよび他の実施の形態の装置１０の浮力により、装置は、ブイまたは他の係留手段への取着によって、水上に装置を配置するようになされ得る。
【００４４】
主体部分１４の管状部分１７は膨張点２８および取着点２６を備えている。管状部分１７の各々は膨張点２８を介して別個に膨張可能である。取着点２６は主体部分１４の２枚の横方向シート１３を取着するためにケーブル結合または編み合わせを受容するようになされている。基部部分１２の管状部分１５は流体供給点２４を備えている。
【００４５】
装置１０のこの実施の形態を組み立てるとき、基部部分１２の管状部分１５の各々は前記流体供給点２４の各々で外部にネジの付いたポートを介して水で部分的に充填される。各々弁を収納する、ネジ付きキャップが各ポートを超えて螺合可能に固定される。管状部分１５の各々はその場合に基部部分１２の堅固性を保証するように弁を介して圧縮空気でさらに膨張させられ得る。基部部分１２の管状部分１５の材料は地面に沿って引きずられている装置１０の粗い取り扱いに対して保護するように適宜に重い負荷材料から代表的に形成されるか、または代替的に、基部部分１２は取り扱いの損傷を回避するために保護的な重い負荷材料からなる別個のカバー内に封入されてもよい。
【００４６】
横方向のシート１３の管状部分１７の各々は膨張点２８に設けられた弁を介して圧縮空気により膨張させられる。一旦膨張させられると、横方向シート１３は、各横方向シート１３の頂部側に沿って取着点２６でケーブル結合とともに編み合わされる。取着された横方向シート１３は略三角形プリズムを形成するように図１７に示されるように基部部分１２上に載置するように配置される。所望ならば、主体１４および基部部分１２は追加の取着点で互いに固定され得るけれども、基部部分１２に主体１４を直接固定する必要はない。
【００４７】
基部部分１２は、また、可視画像を設けるカバー５４を取着するために、基部部分１２の反対縁部に沿って設けられたジップ機構２９を備えている。カバーは主体部分１４の上に置かれかつジップ機構２９を介して基部部分１２に取着される。カバー５４は、ジップ機構２９によって取着されるとき、基部部分１２に対して主体部分１４を維持するように作用する。
【００４８】
装置１０の好適な実施の形態は、さらに、細長く膨張可能な浮き袋５０を含んでいる。この浮き袋５０は基部部分１２と主体部分１４の２枚の横方向シート１３との間に置かれかつ装置１０の長さに延びている。浮き袋５０はカバー５４が取着された後膨張させられかつ横方向シート１３を外方に向かって強制し、可視画像を表示するためのぴんと張った、平らな表面を設けるようにカバー５４を伸張する。装置１０は、さらに、細長く膨張可能な補助部材５２を含んでいても良い。補助部材５２が主体部分１４の２枚の横方向シート１３の上に配置されかつ装置１０の長さを延びている。補助部材５２はカバー５４が取着された後膨張させられかつカバー５４をさらに伸張するように作用する。
【図面の簡単な説明】
【図１Ａ】
可視画像を表示するための装置の断面図である。
【図１Ｂ】
可視画像を表示するための装置の側面図である。
【図２Ａ】
可視画像を表示するためのさらに他の装置の断面図である。
【図２Ｂ】
可視画像を表示するためのさらに他の装置の側面図である。
【図３Ａ】
さらに他の装置の、内方補強部材を示している断面図である。
【図３Ｂ】
さらに他の装置の、内方補強部材を示している側面図である。
【図４Ａ】
さらに他の装置の、内方補強部材を示している断面図である。
【図４Ｂ】
さらに他の装置の、内方補強部材を示している側面図である。
【図５】
装置の補強部材および基部部分部材の代替の配置の断面図である。
【図６】
可視画像を表示するための代替の装置の側面図である。
【図７Ａ】
さらに他の装置の、内方補強部材を示している断面図である。
【図７Ｂ】
さらに他の装置の、内方補強部材を示している側面図である。
【図８Ａ】
さらに他の装置の、内方補強部材を示している断面図である。
【図８Ｂ】
さらに他の装置の、内方補強部材を示している側面図である。
【図９】
カバーを備えた装置の１つの実施の形態の斜視図である。
【図１０】
可視画像を表示するための装置の斜視図である。
【図１１】
図１０の線Ａ−Ａに沿う断面図である。
【図１２】
図１０の線Ｂ−Ｂに沿う断面図である。
【図１３】
図１１の断面図に対して代替の形状を描いている図１０の線Ａ−Ａに沿う断面図である。
【図１４】
図１３の形状を描いている図１０の線Ｂ−Ｂに沿う断面図である。
【図１５】
可視画像を表示するための装置のさらに他の例の斜視図である。
【図１６】
可視画像を表示するための装置のさらに他の例の斜視図である。
【図１７】
可視画像を表示するための現在好適な装置の分解斜視図である。
【図１８】
追加の膨張可能な部材を示している図１７の装置の端面図である。
【国際公開パンフレット】
2004514958.tif 000003
2004514958.tif 000004
2004514958.tif 000005
2004514958.tif 000006
2004514958.tif 000007
2004514958.tif 000008
2004514958.tif 000009
2004514958.tif 000010
2004514958.tif 000011
2004514958.tif 000012
2004514958.tif 000013
2004514958.tif 000014
2004514958.tif 000015
2004514958.tif 000016
2004514958.tif 000017
2004514958.tif 000018
2004514958.tif 000019
2004514958.tif 000020
2004514958.tif 000021
【手続補正書】
【提出日】平成14年8月2日(2002.8.2)
【手続補正１】
【補正対象書類名】明細書
【補正対象項目名】特許請求の範囲
【補正方法】変更
【補正の内容】
【特許請求の範囲】
【請求項１】
可視画像を表示するための可視画像表示装置において、前記可視画像表示装置が含んでいる装置が、
前記可視画像を表示するために膨張されるとき、少なくとも１つの表示面を設けるように設計された膨張可能な主体；および
前記装置を安定化するための基部部分を有しており、
前記主体が、平行な膨張可能である複数の管状部材からなる複数のシートを含み、前記基部部分上で膨張させられかつ配置されるとき、前記主体が予め定めた形状を画成することを特徴とする可視画像表示装置。
【請求項２】
管状部材からなる前記シートがともに溶接されるプラスチック材料シームの層から形成されることを特徴とする請求項１に記載の可視画像表示装置。
【請求項３】
前記管状部材が個々に密封可能であることを特徴とする請求項１に記載の可視画像表示装置。
【請求項４】
前記管状部材の少なくとも１つが前記管状部材の少なくとも１つの他方と流体連通して配置されることを特徴とする請求項１に記載の可視画像表示装置。
【請求項５】
前記主体が管状部材の２枚の横方向に対向する前記シートを含み、前記基部部分および前記横方向に対向するシートが略三角形プリズムを画成することを特徴とする請求項１に記載の可視画像表示装置。
【請求項６】
前記横方向に対向するシートが互いにかつ前記基部部分に結合されることを特徴とする請求項５に記載の可視画像表示装置。
【請求項７】
前記装置は、少なくとも１つの前記表示面が、前記主体が膨張されるとき、少なくとも４５°の角度で前記基部部分に対して傾斜されるように構成されていることを特徴とする請求項１に記載の可視画像表示装置。
【請求項８】
前記基部部分が前記装置を安定化するために水または粒子状物質で少なくとも部分的に充填されるようになされた１つまたはそれ以上の密封可能な室から形成されることを特徴とする請求項１に記載の可視画像表示装置。
【請求項９】
前記密封可能な室が１つまたはそれ以上の管状部材を含んでいることを特徴とする請求項８に記載の可視画像表示装置。
【請求項１０】
前記基部部分が平行な前記管状部材からなるシートを含んでいることを特徴とする請求項９に記載の可視画像表示装置。
【請求項１１】
前記基部部分が前記装置を安定化するために少なくとも１枚の堅固な基板によって設けられることを特徴とする請求項１に記載の可視画像表示装置。
【請求項１２】
前記少なくとも１枚の基板が、前記主体が収縮されるとき、前記基板間で折り畳まれるような前記装置を許容するために、蝶着接続にある複数の堅固な基板を含んでいることを特徴とする請求項１１に記載の可視画像表示装置。
【請求項１３】
前記少なくとも１つの表示面を照明するための照明源を含んでいることを特徴とする請求項１に記載の可視画像表示装置。
【請求項１４】
前記装置が前記照明源を収容する内部キャビティを備えていることを特徴とする請求項１３に記載の可視画像表示装置。
【請求項１５】
前記主体を少なくとも部分的に被覆する、前記可視画像を設ける、カバーを含んでいることを特徴とする請求項１に記載の可視画像表示装置。
【請求項１６】
前記カバーを緊張させるために前記主体と前記カバーとの間に置かれた補助の膨張可能な部材を含んでいることを特徴とする請求項１５に記載の可視画像表示装置。
【請求項１７】
前記装置が、前記主体のみが地面上に置かれるように地面に確立されることを特徴とする請求項１に記載の可視画像表示装置。
【請求項１８】
前記装置を固定するためのガイロープを含んでいることを特徴とする請求項１に記載の可視画像表示装置。
【手続補正２】
【補正対象書類名】明細書
【補正対象項目名】０００６
【補正方法】変更
【補正の内容】
【０００６】
主体は、複数の平行な膨張可能な管状部材からなる複数のシートを含み、そのようにされると、前記基部部分上で膨張させられかつ配置されるとき、前記主体が予め定めた形状を画成する。


【手続補正３】
【補正対象書類名】明細書
【補正対象項目名】０００７
【補正方法】変更
【補正の内容】
【０００７】
管状部材からなるシートがともに溶接されたプラスチック材料シームの層から形成される。


【手続補正４】
【補正対象書類名】明細書
【補正対象項目名】０００８
【補正方法】変更
【補正の内容】
【０００８】
好ましくは、前記管状部材が個々に密封可能である。


【手続補正５】
【補正対象書類名】明細書
【補正対象項目名】０００９
【補正方法】変更
【補正の内容】
【０００９】
代替的に、前記管状部材の少なくとも１つが前記管状部材の少なくとも１つの他方と流体連通して配置される。


【手続補正６】
【補正対象書類名】明細書
【補正対象項目名】００１０
【補正方法】変更
【補正の内容】
【００１０】
好ましくは、前記主体が管状部材の２枚の横方向に対向する前記シートを含み、前記および前記横方向に対向するシートが略三角形プリズムを画成する。


【手続補正７】
【補正対象書類名】明細書
【補正対象項目名】００１１
【補正方法】変更
【補正の内容】
【００１１】
好ましくは、前記横方向に対向するシートが互いにかつ前記基部部分に結合される。


【手続補正８】
【補正対象書類名】明細書
【補正対象項目名】００１２
【補正方法】変更
【補正の内容】
【００１２】
好ましくは、前記装置が、少なくとも１つの前記表示面が、前記主体が膨張されるとき、少なくとも４５°の角度で前記基部部分に対して傾斜される。


【手続補正９】
【補正対象書類名】明細書
【補正対象項目名】００１３
【補正方法】変更
【補正の内容】
【００１３】
好ましくは、前記基部部分が前記装置を安定化するために水または粒子状物質で少なくとも部分的に充填されるようになされた１またはそれ以上の密封可能な室から形成される。


【手続補正１０】
【補正対象書類名】明細書
【補正対象項目名】００１４
【補正方法】変更
【補正の内容】
【００１４】
好ましくは、前記密封可能な室が１またはそれ以上の管状部材を含んでいる。


【手続補正１１】
【補正対象書類名】明細書
【補正対象項目名】００１５
【補正方法】変更
【補正の内容】
【００１５】
好ましくは、前記基部部分が平行な前記管状部材からなるシートを含んでいる。


【手続補正１２】
【補正対象書類名】明細書
【補正対象項目名】００１６
【補正方法】変更
【補正の内容】
【００１６】
代替的に、前記基部部分が前記装置を安定化するために少なくとも１枚の堅固な基板によって設けられる。


【手続補正１３】
【補正対象書類名】明細書
【補正対象項目名】００１７
【補正方法】変更
【補正の内容】
【００１７】
前記少なくとも１枚の基板が、前記主体が収縮されるとき、前記基板間で折り畳まれるような前記装置を許容するために、蝶着接続にある複数の堅固な基板を含んでいる。


【手続補正１４】
【補正対象書類名】明細書
【補正対象項目名】００１８
【補正方法】変更
【補正の内容】
【００１８】
装置はさらに、前記少なくとも１つの表示面を照明するための照明源を含んでいる。


【手続補正１５】
【補正対象書類名】明細書
【補正対象項目名】００１９
【補正方法】変更
【補正の内容】
【００１９】
前記装置は、前記装置が前記照明源を収容する内部キャビティを備えている。


【手続補正１６】
【補正対象書類名】明細書
【補正対象項目名】００２０
【補正方法】変更
【補正の内容】
【００２０】
好ましくは、前記装置はさらに、前記カバーを緊張させるために前記主体と前記カバーとの間に置かれた補助の膨張可能な部材を含んでいる。


【手続補正１７】
【補正対象書類名】明細書
【補正対象項目名】００２１
【補正方法】変更
【補正の内容】
【００２１】
前記装置はさらに、さらに、前記カバーを緊張させるために前記主体と前記カバーとの間に置かれた補助の膨張可能な部材を含んでいる。


【手続補正１８】
【補正対象書類名】明細書
【補正対象項目名】００２２
【補正方法】変更
【補正の内容】
【００２２】
前記装置は、前記主体のみが地面上に置かれるように地面に確立されることもできる。
前記装置は、さらに、前記装置を固定するためのガイロープを含むことも可能である。




【国際調査報告】
2004514958.tif 000022
2004514958.tif 000023